(57)【特許請求の範囲】
【請求項１】
玉タンクから導入した複数列および複数段の玉の流れを、単数の玉列に整列させる上流側整列部と、複数段の玉の流れを単数段の玉列に整列させる下流側整列部とを有するパチンコ機の玉整列レールにおいて、最下段の玉列を一線上に保持する案内手段と、複数段の玉列が逸脱しないように誘導する側壁とを有する主流玉列ガイドを上流側整列部から下流側整列部に連通させて設けるとともに、上流側整列部は主流と副流の２列の玉列を収容可能な幅員に形成し、副流玉列の底面は下流側において主流玉列より高くなるように形成し、その副流玉列の底面につながる主流側側壁を下流側終端部において主流側から離れる方向に偏向させ、一方この偏向点付近から副流玉列の外側の案内側壁を、主流側に向かって主流の側壁となるまで屈曲させて拡幅部を形成し、これに対向する他方の側壁に二段目以上の玉を前記拡幅部に添わせるように偏向させる玉偏向用突片を設けることにより、くの字状に彎曲した経路を形成するとともに、その底面を主流側に傾斜させたことを特徴とするパチンコ機の玉整列レール。
【請求項２】
中央隔壁を介して左右対称形に形成した請求項１に記載のパチンコ機の玉整列レール。
【発明の詳細な説明】
【０００１】
【発明の属する技術分野】
本発明は、玉タンクから導入した玉の流れを整列させながら玉払出装置へ供給するパチンコ機の玉整列レールに関するものである。
【０００２】
【従来の技術】
パチンコ機の玉タンクの下方には、玉整列レールと玉払出装置とが配置されており、玉タンクから複数列および複数段で供給された玉の流れを、玉整列レールにより単数列、単数段に整列させて玉払出装置に供給している。ただし玉払出装置が２連式の場合には、当然に玉整列レールは２列に玉を整列させて玉払出装置に供給するため、本明細書において単数列とは玉払出装置の一つの入口に対して玉を１列に供給する状態を意味するものである。
【０００３】
上記の玉整列レールは、複数列および複数段で供給された玉の流れを単数列、単数段に整列させるために、途中で玉の流れを次第に絞る構造を持つ。しかしそのために通路幅や高さを絞る部分では、玉がブリッジを形成して詰まるおそれがある。このため、玉整列レールの絞り部分の上部にスイング式の錘を吊り下げ、上段の玉に抵抗を与えて単数段に整列させる構造のものが従来から広く用いられている。しかしこのスイング式の錘は重過ぎると却って玉の流れを阻害し、軽過ぎると整列効果が少ないために、玉タンクからの玉の流れが変動した場合にも常に確実な整列効果を発揮させるように設計することは容易ではない。しかも別部材を吊り下げる必要があることから、組立工数が多くなりコストアップの要因となっている。
【０００４】
【発明が解決しようとする課題】
本発明は上記した従来の問題点を解決し、別部材を用いることなく、安定した整列効果を発揮することができるパチンコ機の玉整列レールを提供するためになされたものである。
【０００５】
【課題を解決するための手段】
上記の課題を解決するためになされた本発明は、玉タンクから導入した複数列および複数段の玉の流れを、単数の玉列に整列させる上流側整列部と、複数段の玉の流れを単数段の玉列に整列させる下流側整列部とを有するパチンコ機の玉整列レールにおいて、最下段の玉列を一線上に保持する案内手段と、複数段の玉列が逸脱しないように誘導する側壁とを有する主流玉列ガイドを上流側整列部から下流側整列部に連通させて設けるとともに、上流側整列部は主流と副流の２列の玉列を収容可能な幅員に形成し、副流玉列の底面は下流側において主流玉列より高くなるように形成し、その副流玉列の底面につながる主流側側壁を下流側終端部において主流側から離れる方向に偏向させ、一方この偏向点付近から副流玉列の外側の案内側壁を、主流側に向かって主流の側壁となるまで屈曲させて拡幅部を形成し、これに対向する他方の側壁に二段目以上の玉を前記拡幅部に添わせるように偏向させる玉偏向用突片を設けることにより、くの字状に彎曲した経路を形成するとともに、その底面を主流側に傾斜させたことを特徴とするものである。
【０００６】
なお、玉払出装置が２連式の場合には、整列レールを中央隔壁を介して左右対称形に形成した構造とすることができる。
【０００７】
本発明のパチンコ機の玉整列レールは、樹脂で成形された側壁等の形状を工夫することにより、従来のような他の部材を全く必要とせずに、単数段の玉列に整列させることができる。
【０００８】
【発明の実施の形態】
以下に図面を参照しつつ参考形態及び実施形態を示す。
図１と図２は、本発明の玉整列レールを備えたパチンコ機の裏面を示す平面図と正面図であり、１は玉タンク、２はその下方に配置された本発明の玉整列レール、３は玉減速誘導通路、４は玉払出装置である。この例では玉払出装置４は賞玉と貸玉とをそれぞれ払い出すことができるように２連式となっている。玉タンク１は端部の玉供給孔５から玉を複数列、複数段の状態で下方の玉整列レール２に導入する。
【０００９】
この例では玉タンク１はセット板６に片持構造で支持されているが、使用状態においては受枠７にクランプ機構８、８により固定できるようになっている。また、玉整列レール２は図面上の左端を玉タンク１から垂下する保持機構９により保持され、図面上の右端を玉減速誘導通路３に差し込むことにより支持されている。
【００１０】
図３〜図６は本発明の玉整列レールの参考形態を示す図である。この玉整列レールは、２連式の玉払出装置４に対応させて中央隔壁１０を介して左右対称形に形成されているが、以下にその片側のみについて説明する。
【００１１】
この玉整列レール２は、玉タンク１から複数列、複数段の状態で導入された玉を、単数の玉列に整列させる上流側整列部１１と、複数段の玉の流れを単数段の玉列に整列させる下流側整列部１２とに大別される。１３はこれらの上流側整列部１１と下流側整列部１２とを連通させて設けられた主流玉列ガイドである。この主流玉列ガイド１３は、最下段の玉列を一線上に保持する溝状の案内手段１４と、複数段の玉列が逸脱しないように誘導する側壁１５、１６とを有する。中央側の側壁１５は、中央隔壁１０と同一のものである。
【００１２】
なお、図３、図５に示すように、上流側整列部１１は主流と副流の２列の玉列を収容可能な幅員に形成されており、外側に副流玉列の案内側壁１７が形成されている。この副流玉列の案内側壁１７は上流側整列部１１の下流側において主流玉列ガイド１３の外側の側壁１６と接続されている。また副流玉列の底面１８は図５に示すように主流側に傾斜するとともに、図４に示すように下流側において主流玉列よりも高くなるように傾斜させて形成されている。このため、副流玉列の底面１８上の玉は下流側に移動するに連れて自然に主流側に流入し、単列化される。しかしこのままでは複数段のままである。
【００１３】
そこでこの主流玉列ガイド１３が下流側整列部１２に入る部分には、主流玉列ガイド１３の一方（外側）の側壁１６に拡幅部１９が形成されている。またこれに対向する他方の側壁１５には、玉偏向用突片２０が形成されている。この玉偏向用突片２０は、図６に示すように二段目以上の玉のみに接触できる高さに設けられている。このため、二段目以上の玉はこの玉偏向用突片２０によって前記拡幅部１９に添わせるように偏向させられ、外側にくの字状に彎曲した経路を辿って下流側整列部１２に入る。このため上段側の玉には下段側の玉よりも余分に流れ抵抗が加わる。また図６に示すように、この部分の底面も図５と同様に主流側に傾斜させてある。その結果、図１０に示すように下段側の玉よりも上段側の玉が少し遅れ、スムーズに単数段の玉列に整列される。
【００１４】
このように、参考形態の玉整列レール２は側壁に拡幅部１９と玉偏向用突片２０を設けることにより、玉タンク１から導入した複数段の玉の流れをスムーズに単数段の玉列に整列させることができ、従来のように単数段化のための別部材を要しない利点がある。
【００１５】
図７以下は本発明の実施形態を示す図である。前記した参考形態では外側に拡幅部１９を形成したためこの部分が外側に突出しているが、実施形態はこの拡幅部を内部に形成したものである。
【００１６】
すなわち、図示のように主流玉列より高くなるように形成された副流玉列の底面１８につながる副流玉列の主流側の側壁２１を、下流側終端部において主流側から離れる方向に偏向させ、一方この偏向点付近から副流玉列の外側の案内側壁１７を、主流側に向かって主流の側壁１６と一致するまで屈曲させて、全体としてくの字状に彎曲した拡幅部２２を構成している。また二段目以上の玉をこの拡幅部３１に添わせるように偏向させる玉偏向用突片２３を、参考形態と同様に設けてある。
【００１７】
この実施形態においても、図９〜図１１に示すように副流玉列は主流玉列と一体化されて単数の玉列に整列されるとともに、二段目以上の玉は拡幅部２２を通過する間に抵抗を受ける。その結果、図１０に示すように二段目の玉は先行する下段の玉の間に割り込むように入り込み、スムーズに単数段の玉列に整列されることとなる。
【００１８】
【発明の効果】
以上に説明したように、本発明の玉整列レールは拡幅部と玉偏向用突片とにより二段目以上の玉に下段の玉よりも余分の流れ抵抗を与え、複数段の玉の流れをスムーズに単数段の玉列に整列させることができるものであり、従来のように単数段化のための別部材を要しない。このため従来よりも組立工数が減少し、コストダウンを図ることができる利点がある。
【図面の簡単な説明】
【図１】本発明の玉整列レールを備えたパチンコ機の裏面を示す平面図である。
【図２】本発明の玉整列レールを備えたパチンコ機の裏面を示す正面図である。
【図３】参考形態を示す平面図である。
【図４】参考形態を示す正面図である。
【図５】図４のＡ−Ａ断面図である。
【図６】図４のＢ−Ｂ断面図である。
【図７】本発明の実施形態を示す平面図である。
【図８】本発明の実施形態を示す正面図である。
【図９】本発明の実施形態における玉の流れを示す平面図である。
【図１０】本発明の実施形態における玉の流れを示す垂直断面図である。
【図１１】図９のＣ−Ｃ、Ｄ−Ｄ、Ｅ−Ｅ、Ｆ−Ｆの各断面図である。
【符号の説明】
１  玉タンク
２  本発明の玉整列レール
３  玉減速誘導通路
４  玉払出装置
５  玉供給孔
６  セット板
７  受枠
８  クランプ機構
９  保持機構
１０  中央隔壁
１１  上流側整列部
１２  下流側整列部
１３  主流玉列ガイド
１４  案内手段
１５  主流玉列の中央側の側壁
１６  主流玉列の外側の側壁
１７  副流玉列の案内側壁
１８  副流玉列の底面
１９  拡幅部
２０  玉偏向用突片
２１  副流玉列の主流側の側壁
２２  拡幅部
２３  玉偏向用突片
【図１】
0004020352.tif 000002
【図２】
0004020352.tif 000003
【図３】
0004020352.tif 000004
【図４】
0004020352.tif 000005
【図５】
0004020352.tif 000006
【図６】
0004020352.tif 000007
【図７】
0004020352.tif 000008
【図８】
0004020352.tif 000009
【図９】
0004020352.tif 000010
【図１０】
0004020352.tif 000011
【図１１】
0004020352.tif 000012